【手続補正書】
【提出日】平成25年10月4日(2013.10.4)
【手続補正１】
【補正対象書類名】特許請求の範囲
【補正対象項目名】全文
【補正方法】変更
【補正の内容】
【特許請求の範囲】
【請求項１】
表示部を備える操作パネルと通信可能な通信手段と、
前記操作パネルでの操作によって設定された表示レイアウトであって、前記表示部に表示されているデータに対する表示レイアウトを示す情報を、前記操作パネルから取得する取得手段と、
前記取得手段により取得した情報に基づいて、前記表示レイアウトに従って画像データを生成する生成手段と、
前記生成手段によって生成された画像データを出力する出力手段と、
を有することを特徴とする画像処理装置。
【請求項２】
前記表示レイアウトは、複数のページの画像を１枚の用紙に配置したレイアウトを含むことを特徴とする請求項１に記載の画像処理装置。
【請求項３】
前記出力手段は、前記画像データに従った印刷処理を行うことを特徴とする請求項１又は２に記載の画像処理装置。
【請求項４】
前記出力手段は、前記画像データに従ったＰＤＦデータを作成することを特徴とする請求項１又は２に記載の画像処理装置。
【請求項５】
前記出力手段は、前記生成された画像データに対応する前記データの表示レイアウトに従って、前記画像データを出力することを特徴とする請求項１に記載の画像処理装置。
【請求項６】
前記操作パネルは、少なくとも、傾きセンサ及び３次元加速度センサを有し、前記傾きセンサ及び前記３次元加速度センサによって検知される、前記操作パネルの方向及び傾きに応じて、前記表示部に表示するデータの表示レイアウトを変更することを特徴とする請求項１乃至５のいずれか１項に記載の画像処理装置。
【請求項７】
前記操作パネルは、更にタッチパネルを有し、前記タッチパネルに対するユーザの操作に応じて前記表示部に表示するデータの表示レイアウトを変更することを特徴とする請求項６に記載の画像処理装置。
【請求項８】
表示部を備える操作パネルと通信可能な画像処理装置を制御する制御方法であって、
前記操作パネルでの操作によって設定された表示レイアウトであって、前記表示部に表示されているデータに対する表示レイアウトを示す情報を、前記操作パネルから取得する取得工程と、
前記取得工程で取得した情報に基づいて、前記表示レイアウトに従って画像データを生成する生成工程と、
前記生成工程で生成された画像データを出力する出力工程と、
を有することを特徴とする画像処理装置の制御方法。
【請求項９】
表示部を備える操作パネルと通信可能な画像処理装置を制御する制御方法をコンピュータに実行させるためのプログラムであって、前記制御方法は、
前記操作パネルでの操作によって設定された表示レイアウトであって、前記表示部に表示されているデータに対する表示レイアウトを示す情報を、前記操作パネルから取得する取得工程と、
前記取得工程で取得した情報に基づいて、前記表示レイアウトに従って画像データを生成する生成工程と、
前記生成工程で生成された画像データを出力する出力工程と、
を有することを特徴とするプログラム。
【手続補正２】
【補正対象書類名】明細書
【補正対象項目名】０００９
【補正方法】変更
【補正の内容】
【０００９】
上記目的を達成するために本発明の一態様に係る画像処理装置は以下のような構成を備える。即ち、
表示部を備える操作パネルと通信可能な通信手段と、
前記操作パネルでの操作によって設定された表示レイアウトであって、前記表示部に表示されているデータに対する表示レイアウトを示す情報を、前記操作パネルから取得する取得手段と、
前記取得手段により取得した情報に基づいて、前記表示レイアウトに従って画像データを生成する生成手段と、
前記生成手段によって生成された画像データを出力する出力手段と、を有することを特徴とする。
【手続補正３】
【補正対象書類名】明細書
【補正対象項目名】００１１
【補正方法】変更
【補正の内容】
【００１１】
【図１】本発明の一実施形態に係る画像形成装置の利用環境を示す概略図。
【図２】本実施形態に係る画像形成装置本体、ホームポジション、操作パネルの制御構成を示すブロック図。
【図３】本実施形態に係る操作パネルによる処理を説明するフローチャート。
【図４】図３のＳ３０１の入力検出処理の詳細を説明するフローチャート。
【図５】図４のＳ４０２のＴＴＰ検出処理の詳細を説明するフローチャート。
【図６】図３のＳ３０２のプログラム処理の詳細を説明するフローチャート。
【図７】図３のＳ３０３の表示制御処理の詳細を説明するフローチャート。
【図８】本実施形態に係る操作パネルの縦／横と１ページの縦／横のレイアウトの組み合わせ例を示す図。
【図９】操作パネルの表示部に２ページのイメージを表示する場合のレイアウト例を示す図。
【図１０】本実施形態に係る操作パネルの基本画面を示す図。
【図１１】図３のＳ３０４の通信処理の詳細を説明するフローチャート。
【図１２】実施形態の画像形成装置本体のデータ処理を示すフローチャート。
【図１３】操作パネルと本体とのデータ処理を示すシーケンス図。
【図１４】操作パネルの表示部に表示されるプリント実行画面例を示す図。
【図１５】実施形態２に係る操作パネルに２ページを表示する場合のレイアウト例を示す図。
【図１６】図１５のレイアウト表示を１８０度回転させた図。
【図１７】実施形態２に係る操作パネルの表示部に表示されるプリント実行画面例を示す図。
【図１８】本実施形態に係る画像形成装置本体の処理を説明するフローチャート。
【手続補正４】
【補正対象書類名】明細書
【補正対象項目名】００２０
【補正方法】変更
【補正の内容】
【００２０】
コントローラボード１１００は、ＣＰＵ１１０１、フラッシュＲＯＭ１１０２、ＲＡＭ１１０３、ネットワークインタフェースカード（ＮＩＣ）１１０４、メインチャネルコントローラ１１０５、サブチャネルコントローラ１１０６を有する。更に、ディスクコントローラ（ＤＫＣ）１１０７、スキャナインタフェース（ＳＩＦ）１１０８、プリンタインタフェース（ＰＩＦ）１１０９を備えている。これらデバイス１１０２〜１１０９のそれぞれは、バス１１１０を介してＣＰＵ１１０１と接続されている。
【手続補正５】
【補正対象書類名】明細書
【補正対象項目名】００２９
【補正方法】変更
【補正の内容】
【００２９】
ＣＰＵ３１０１は、バスに接続される各デバイスを総括的に制御すると共に、フラッシュＲＯＭ３１０７に記憶された、制御プログラムを実行するプロセッサである。ＲＡＭ３１０８は、ＣＰＵ３１０１の主メモリ、ワークエリア、及びＬＣＤ３２００に表示するビデオデータの格納エリアとして機能する。ＣＰＵ３１０１は、３次元加速度センサ３１１１と３次元ジャイロセンサ３１１２を用いて操作パネル３０００の姿勢及び動きを認識できる。３次元加速度センサ３１１１は、半導体のチップ内に可動部分があり、外から加わる加速度によって可動部分のフィンが移動し、非可動部分のフィンとの間隔が変化して静電容量が変化する。これにより、操作パネル３０００に対して外から加わる加速度を検出することができる。また３次元ジャイロセンサ３１１２は、コリオリの力を利用した方式の半導体素子である。これら２つのセンサ３１１１，３１１２の出力を、重力の影響を考慮した上で信号処理することで、例えば操作パネル３０００が立面状態か平面状態か、又縦置きか横置きか、更には前後、左右、上下方向の３次元的なその動きと位置を精度良く検出できる。
【手続補正６】
【補正対象書類名】明細書
【補正対象項目名】００３１
【補正方法】変更
【補正の内容】
【００３１】
ディスプレイコントローラ（ＤＩＳＰＣ）３１０５は、ＣＰＵ３１０１の要求に応じて、ＲＡＭ３１０８に展開されたビデオデータをＬＣＤ３２００へ転送するとともに、ＬＣＤ３２００を制御して、そのビデオデータを表示する。パネルコントローラ（ＰＡＮＥＬＣ）３１０６は、ＣＰＵ３１０１の要求に応じて、タッチパネル３３００及びボタンデバイス３４００を制御する。その制御によって、タッチパネル３３００上の押下位置や、ボタンデバイス３４００上の押下されたボタンに対応するキーコードなどがＣＰＵ３１０１に返送される。メモリコントローラ３１１４は、ＣＰＵ３１０１の制御によって、外部メモリ用コネクタ３１１５を介してＳＤメモリなどの外部メモリ３１１６にアクセスし、その外部メモリ３１１６のデータを読み出すことができる。こうして読み出したデータを、ＤＩＳＰＣ３１０５を介してＬＣＤ３２００に表示できる。また、ＣＰＵ３１０１，ＩＥＥＥ８０２．１１ｂモジュール３１０２を介して、本体１０００との間でデータの送受信を行うこともできる。
【手続補正７】
【補正対象書類名】明細書
【補正対象項目名】００５６
【補正方法】変更
【補正の内容】
【００５６】
図８の８００は、操作パネル３０００の向きが縦方向で、表示ページが縦方向である組み合わせの場合を示す。また８０１は、操作パネル３０００の向きが縦方向で、表示ページが横方向の組み合わせの場合を示す。更に、操作パネル３０００の向きが横方向で、表示ページが縦方向の場合は８０２のように表示され、操作パネル３０００の向きが横方向で表示ページが横方向の場合は、８０３のように表示される。
【手続補正８】
【補正対象書類名】明細書
【補正対象項目名】００７１
【補正方法】変更
【補正の内容】
【００７１】
まずＳ１２０１で、本体１０００のＣＰＵ１１０１は、メインチャネルの無線通信状態を判定し（通信状態判定処理）、操作パネル３０００と無線通信中か否かを判定する。そして、メインチャネルとしての無線通信による通信中でないと判定した場合は、ＣＰＵ１１０１はＳ１２０２に処理を進める。Ｓ１２０２では、ＣＰＵ１１０１はメインチャネル通信を行うための処理として、ＥＳＳＩＤを含む情報をブロードキャストして、自身のＥＳＳＩＤを操作パネル３０００に告知してＳ１２０３に処理を進める。Ｓ１２０３では、ＣＰＵ１１０１は操作パネル３０００からの上記要求（図１３のＳＱ１）を受信したかどうかで操作パネル３０００を検出したかを判定し、操作パネル３０００を検出するまで一定時間Ｓ１２０２の処理を繰り返す。そしてＳ１２０３で、操作パネル３０００を検出したと判定すると、ＣＰＵ１１０１は操作パネル３０００に対して通信を許可する旨の応答を送信して操作パネル３０００とのメインチャネル通信を確立する。そしてＳ１２０４に進み、ＣＰＵ１１０１は装置情報の確認処理を行う（図１３のＳＱ２）。詳しくは、ＣＰＵ１１０１は、操作パネル３０００から送信される装置情報確認要求（本体１０００の装置ＩＤや有効機能などの装置情報を確認する要求）を受信すると、フラッシュＲＯＭ１１０２に保持される装置情報を取得して操作パネル３０００に送信する。
【手続補正９】
【補正対象書類名】明細書
【補正対象項目名】００９１
【補正方法】変更
【補正の内容】
【００９１】
図１８は、本実施形態１，２に係る画像形成装置本体の処理を説明するフローチャートである。この処理は、ＨＤＤ１４００にインストールされていてＲＡＭに展開された制御プログラム、或いはフラッシュＲＯＭ１１０２の制御プログラムをＣＰＵ１１０１が実行することにより達成される。この処理は図１４或いは図１７のスタートボタン１４５がタッチされて、印刷開始或いはＰＤＦ化の開始が操作パネル３０００から本体１０００に通知されることにより開始される。